(57)【要約】【課題】ＲＦＩＤタグによって管理される商品、物品の形状に対応させ、他の装置とＲＦＩＤタグとの間の安定した通信状態を確保することを課題とする。【解決手段】ＲＦＩＤタグ１００は、インレット２０が装着されたインレット装着部１０と、インレット装着部１０に連設され、取付対象物へ取り付けられる取付環状部３０とを備えている。インレット２０は、インレット２０の上縁（Ｌ３）が取付環状部の上縁（Ｌ０）よりも上側に位置するように偏心配置されている。これにより、大きな間隔δ１を設けることができ、金属製の飲料缶等の取付対象物とインレット２０との間隔を確保することができる。これにより、リーダ・ライタ等の他の装置とＲＦＩＤタグとの間の安定した通信状態を確保することができる。【選択図】図２
2010257061.tif 000002
【特許請求の範囲】
【請求項１】
基板と、前記基板上に配置されたアンテナと、前記アンテナと接続される回路チップと、を有するインレットと、
前記インレットが装着されたインレット装着部と、
前記インレット装着部に連設され、取付対象物へ取り付けられる取付環状部と、
を備え、
前記インレットの上縁が前記取付環状部の上縁よりも上側に位置するように前記インレットを偏心配置したことを特徴としたＲＦＩＤタグ。
【請求項２】
前記インレット装着部の上下方向厚さは、前記取付環状部の上下方向厚さよりも厚いことを特徴とした請求項１記載のＲＦＩＤタグ。
【請求項３】
前記インレット装着部は、前記取付環状部との間に中空部が形成されるように配置されたことを特徴とする請求項１又は２記載のＲＦＩＤタグ。
【請求項４】
前記取付環状部に対し、回転手段を介して前記インレット装着部に連設される接続部をさらに備えたことを特徴とする請求項１乃至３のいずれか一項記載のＲＦＩＤタグ。
【発明の詳細な説明】
【技術分野】
【０００１】
本発明は、ＲＦＩＤ（Ｒａｄｉｏ  Ｆｒｅｑｕｅｎｃｙ  ＩＤｅｎｔｉｆｉｃａｔｉｏｎ）タグに関する。
【背景技術】
【０００２】
近年、例えば、物流の分野等において、ＲＦＩＤタグの利用が浸透し始めており、ＲＦＩＤタグに関する種々の提案がされている。ＲＦＩＤタグは、ＩＣ（Ｉｎｔｅｇｒａｔｅｄ  Ｃｉｒｃｕｉｔ）タグとも呼ばれ、種々のデータを記憶するとともに、ＲＦＩＤタグに対するデータの読み書きを行うリーダ・ライタとの間で電波通信を行う。このようにリーダ・ライタとの間で電波通信を行うＲＦＩＤタグには、安定した電波通信を行うための工夫が求められる。
【０００３】
このような事情を背景に、例えば、ＲＦＩＤタグの周囲に金属がある場合でも、リーダ・ライタとＲＦＩＤタグとの間における安定的な通信を実現することを目的とした提案がされている（特許文献１参照）。また、対象となる被着体に対しループ状に巻きつけて使用するＲＦＩＤタグ（ＩＣタグ）が知られている（特許文献２参照）。
【先行技術文献】
【特許文献】
【０００４】
【特許文献１】特開２００６−３３８３６１号公報
【特許文献２】特開２００８−９５３７号公報
【発明の概要】
【発明が解決しようとする課題】
【０００５】
ところで、ＲＦＩＤタグによって管理される商品、物品の形状には種々のものがある。このため、ＲＦＩＤタグを装着する商品や物品の形状によっては、前記従来のＲＦＩＤタグを用いた場合は、商品や物品との適切な距離を確保することができず、安定した通信状態の確保が困難な場合がある。
【０００６】
そこで、本発明は、ＲＦＩＤタグによって管理される商品、物品の形状に対応させ、他の装置とＲＦＩＤタグとの間の安定した通信状態を確保することを課題とする。
【課題を解決するための手段】
【０００７】
本明細書開示のＲＦＩＤタグは、インレットが装着されたインレット装着部と、前記インレット装着部に連設され、取付対象物へ取り付けられる取付環状部と、を備え、前記インレットの上縁が前記取付環状部の上縁よりも上側に位置するように前記インレットを偏心配置したことを特徴としている。
【０００８】
本明細書開示のＲＦＩＤタグは、従来と同じサイズのインレットを用いた場合であっても、取付対象物との間の距離を確保することができるので、他の装置とＲＦＩＤタグとの間における安定した通信状態を確保することができる。
【発明の効果】
【０００９】
本明細書開示のＲＦＩＤタグによれば、他の装置とＲＦＩＤタグとの間の安定した通信状態を確保することができる。
【図面の簡単な説明】
【００１０】
【図１】図１は、実施例１のＲＦＩＤタグの斜視図である。
【図２】図２は、実施例１のＲＦＩＤタグの図１におけるＡ−Ａ線断面図である。
【図３】図３は、ＲＦＩＤタグを装着する飲料缶の斜視図である。
【図４】図４は、実施例１のＲＦＩＤタグを飲料缶に装着した様子と、比較例のＲＦＩＤタグを飲料缶に装着した様子とを示す説明図である。
【図５】図５は、ＲＦＩＤタグの製造方法の一例を示す説明図である。
【図６】図６は、実施例２のＲＦＩＤタグの断面図である。
【図７】図７は、実施例２のＲＦＩＤを装着する瓶容器の斜視図である。
【図８】図８は、実施例２のＲＦＩＤタグを瓶容器に装着した様子と、比較例のＲＦＩＤタグを瓶容器に装着した様子とを示す説明図である。
【図９】図９は、他の実施例のＲＦＩＤタグの説明図である。
【図１０】図１０は、さらに他の実施例のＲＦＩＤタグの斜視図である。
【発明を実施するための形態】
【００１１】
以下、本発明の実施形態について、添付図面を参照しつつ説明する。ただし、図面中、各部の寸法、比率等は、実際のものと完全に一致するようには図示されていない場合がある。また、図面によっては細部が省略されている場合もある。
【実施例１】
【００１２】
図１は、実施例１のＲＦＩＤタグ１００の斜視図であり、図２は、図１におけるＡ−Ａ線断面図である。実施例１のＲＦＩＤタグ１００は、インレット２０が装着されたインレット装着部１０を備えている。また、接続部３１を介してインレット装着部１０に連設され、取付対象物へ取り付けられる取付環状部３０を備えている。図２に示すように、インレット装着部１０は、取付環状部３０との間に中空部４０が形成されるように配置されている。
【００１３】
ＲＦＩＤタグ１００は、内蔵するメモリに種々のデータを記憶するとともに、ＲＦＩＤタグ１００に対するデータの読み書きを行うリーダ・ライタとの間で無線通信を行う。
【００１４】
図３は、ＲＦＩＤタグ１００の取付対象物となる商品、物品の一例である金属製の飲料缶５０の斜視図である。飲料缶５０は、キャップ５３が装着される首部５１と、この首部５１に連設された肩部５２を有している。首部５１の直径は、肩部５２の直径よりも小さい。肩部５２は、外周に向かう下り傾斜を有している。このような形状の飲料缶５０に対し、ＲＦＩＤタグ１００は、取付環状部３０を首部５１に被冠するようにして装着される。接続部３１の下縁３１ｂは、肩部５２の傾斜に対応した傾斜を有しており、ＲＦＩＤタグ１００は、安定した状態で飲料缶５０に装着される。なお、環状取付部３０は、図１に示すようにリング状であってもよいし、一部を切り欠いた形状、例えばＣ字状であってもよい。また、環状取付部３０は、ベルト状として、長さ張設機構や、締め付け機構を備えることもできる。
【００１５】
インレット２０は、図１、図２に示すように基板２１と、この基板２１上に配置されたアンテナ２２及び回路チップ２３を有している。アンテナ２２は、ダイポールアンテナを用いているが、他のアンテナであってもよい。このようなインレット２０は、インレット装着部１０の内周壁面１０ａに装着されている。また、インレット２０は、その上縁が取付環状部３０の上縁よりも上側に位置するようにインレット装着部１０に偏心配置されている。この偏心配置について、以下、具体的に説明する。
【００１６】
図２中、符号Ｌ０によって示された直線は、取付環状部３０の上縁の位置を示している。環状取付部３０と接続部３１との接続点３１ａは、この直線Ｌ０上に位置している。符号Ｌ１によって示された直線は、アンテナ２２の下縁の位置を示している。また、符号Ｌ２によって示された直線は、アンテナ２２の上縁の位置を示している。さらに、符号Ｌ３によって示された直線は、インレット２０の上縁、具体的には基板２１の上縁の位置を示している。符号Ｌ４によって示された直線は、インレット２０の下縁、具体的には基板２１の下縁の位置を示している。
【００１７】
図２に示すように、実施例１のＲＦＩＤタグ１００におけるインレット２０は、その上縁Ｌ３が、取付環状部３０の上縁Ｌ０よりも上側に位置するように偏心配置されている。その偏心距離は、Ｓである。このようにインレット２０が偏心距離Ｓだけ偏心させて配置されることにより、インレット２０の下縁と、接続部３１の下縁３１ｂとの間には大きな間隔δ１を確保することができる。接続部３１の下縁３１ｂは、飲料缶５０の肩部５２と当接するため、インレット２０と肩部５２との間に、大きな間隔が確保される。
【００１８】
実施例１のＲＦＩＤ１００において、インレット装着部１０の上下方向厚さは、取付環状部３０の上下方向厚さよりも厚くなっている。図２においてインレット装着部１０の上下方向厚さは、ｔ１で示されている。また、図２において環状取付部３０の上下方向厚さは、ｔ２で示されている。このように、インレット装着部１０の上下方向厚さｔ１を大きく採ることにより、インレット２０を偏心配置するためのスペースをインレット装着部１０に確保することができる。すなわち、実施例１のＲＦＩＤタグ１００は、インレット装着部１０の上下方向厚さを大きく採ることにより、インレット２０を偏心させやすくなっている。
【００１９】
また、ＲＦＩＤタグ１００は、接続部３１を有しているため、環状取付部３０の内周壁面３０ａとインレット２０との間に大きな間隔δ２を確保することができる。
【００２０】
この間隔δ１と、間隔δ２について、図４を参照し、比較例を示しつつさらに詳細に説明する。図４（Ａ）は、実施例１のＲＦＩＤタグ１００を飲料缶５０に装着した様子を示し、図４（Ｂ）は、比較例のＲＦＩＤタグ５００を飲料缶５０に装着した様子を示している。
【００２１】
比較例のＲＦＩＤタグ５００は、環状取付部５３０とインレット装着部５１０とを備える点で実施例１のＲＦＩＤタグ１００と共通している。しかしながら、比較例のＲＦＩＤタグ５００は、環状取付部５３０の上下方向厚さとインレット装着部５１０の上下方向厚さが同一である。これに伴って、インレット装着部５１０に装着されたインレット２０は、環状取付部５３０に対して偏心配置されていない。この結果、ＲＦＩＤタグ５００では、大きな間隔δ１を確保することができていない。一方、間隔δ２は、インレット装着部５１０を環状取付部５３０から離すようにすれば、ある程度確保することができる。しかしながら、このような対処では、インレット装着部５１０が飲料缶５０の肩部５２から離れてしまい、ＲＦＩＤタグ５００の安定した装着状態が損なわれるおそれがある。
【００２２】
これに対し、実施例１のＲＦＩＤタグ１００は、比較例と同じサイズのインレット２０を偏心配置させ、大きな間隔δ１を確保することができているので、リーダ・ライタ等の他の装置との間における安定した通信状態を確保することができる。また、接続部３１を延長して間隔δ２を確保しても、接続部３１の下縁３１ｂが、肩部５２の形状に沿うような形状を有しているため、ＲＦＩＤタグ１００は、安定した状態で飲料缶５０に装着することができる。
【００２３】
金属製である飲料缶５０の首部５１や肩部５２とインレット２０との距離が短いと、電波の干渉が発生するなどの理由から安定した通信が損なわれる。そこで、実施例１のＲＦＩＤタグ１００のように、間隔δ１、間隔δ２を大きく確保することができれば、間隔δ１、間隔δ２の設定の自由度が増し、安定した通信状態を実現することができる。
【００２４】
間隔δ１、間隔δ２は、リーダ・ライタとの通信距離に応じて適宜設定することができる。例えば、通信に用いる電波の波長の１／４の奇数倍、すなわち、（２ｎ＋１）／４倍（ｎ＝０，１，２，・・・）として、通信距離を大きくすることができる。
【００２５】
実施例１のＲＦＩＤタグ１００は、取付環状部３０とインレット装着部１０との間に中空部４０を有しているので、誘電損失による電磁波のエネルギ損失が抑制され、良好な通信状態を確保することができる。
【００２６】
なお、ＲＦＩＤタグ１００の環状取付部３０の上下方向厚さｔ２は、インレット装着部１０の上下方向厚さｔ１と比較して薄い。このため、キャップ５３が露出して掴みやすく、ＲＦＩＤタグ１００を装着した状態の飲料缶５０を持ち上げやすい。
【００２７】
また、ＲＦＩＤタグ１００の取付対象物である容器や商品の外観形状は、首部が側方に位置したり、下方に位置したりする状態で配置、陳列されることがある。実施例１のＲＦＩＤタグ１００は、どのような状態の容器、商品に対しても適用することができる。ＲＦＩＤタグ１００は、首部と肩部との段差を有するような柱状形状を有する取付対象物に好適に用いることができる。
ＲＦＩＤタグが備えるインレット２０は、どのような取付対象物に対しても、その取付対象物から離れるように偏心配置されていればよい。
【００２８】
ここで、インレット装着部１０へのインレット２０の装着について説明する。インレット２０は、インレット装着部１０の内周壁面１０に接着剤を用いて接着されている。接着に際し、両面テープを用いることもできる。
また、図５に示すような方法で、インレット２０をインレット装着部１１０へ装着したＲＦＩＤタグ１５０とすることもできる。ＲＦＩＤタグ１５０を製造するために、まず、図５（Ａ）に示すように、切欠き部１１４，１１５によって第１部分１１１、第２部分１１２、第３部分１１３の三つの部分に区分けされた板体を接続部３１に連設しておく。そして、最も先端に位置する第３部分１１３にインレット２０を接着する。その後、図５（Ｂ）に示すように切欠き部１１４，１１５で板体を折り曲げることによりインレット装着部１１０の成形を行う。このような工程とすれば、インレット２０の装着作業を容易に行うことができる。
【実施例２】
【００２９】
次に、実施例２について図６〜図８を参照しつつ説明する。図６は、実施例１における図２に対応する図面であり、実施例２のＲＦＩＤタグ２００の断面を示している。
実施例２のＲＦＩＤ２００が、実施例１のＲＦＩＤタグ１００と異なる点は、接続部２３１の下縁２３１ｂの形状である。すなわち、ＲＦＩＤタグ１００における接続部３１の下縁３１ｂの形状は、飲料缶５０の肩部５２が有する傾斜に対応させて傾斜している。これに対し、ＲＦＩＤタグ２００の下縁２３１ｂの形状は、図６に断面を示すように、環状取付部３０の下縁から連続する直線的な形状となっている。他の構成要素は、実施例１のＲＦＩＤタグ１００と共通している。共通する構成要素については、図面中、同一の参照番号を付し、その詳細な説明は省略する。
【００３０】
ＲＦＩＤタグ２００を、このような形状としているのは、ＲＦＩＤタグ２００の取付対象物の形状に合わせたことによる。図７は、ＲＦＩＤタグ２００が取り付けられるガラス製の瓶容器６０の斜視図である。瓶容器６０は、キャップ６３が装着される首部６１と、この首部６１に連設された肩部６２を有している。首部６１の直径は、肩部６２の直径よりも小さい。肩部６２は、水平に広がっている。瓶容器６０には、化粧品等の液体が充填される。
このような瓶容器６０に対し、ＲＦＩＤタグ２００は、取付環状部３０を首部６１に被冠するようにして装着される。接続部２３１の下縁２３１ｂは、肩部６２に対応させた形状となっているため、ＲＦＩＤタグ２００は安定した状態で瓶容器６０に装着される。
【００３１】
実施例２のＲＦＩＤタグ２００においても、実施例１のＲＦＩＤタグ１００と同様に、インレット２０は、インレット装着部１０の内周壁面１０ａに装着されている。また、インレット２０は、その上縁が取付環状部３０の上縁よりも上側に位置するようにインレット装着部１０に偏心配置されている。
【００３２】
また、図６中の符号Ｌ０〜Ｌ４は、それぞれ図２における符号Ｌ０〜Ｌ４と同様の位置を示している。
【００３３】
図６に示すように、実施例２におけるＲＦＩＤタグ２００におけるインレット２０は、その上縁Ｌ３が、取付環状部３０の上縁Ｌ０よりも上側に位置するように偏心配置されている。その偏心距離は、Ｓである。このようにインレット２０が偏心距離Ｓだけ偏心させて配置されることにより、インレット２０の下縁と、接続部２３１の下縁２３１ｂとの間には大きな間隔δ１を確保することができる。接続部３１の下縁２３１ｂは、瓶容器６０の肩部６２と当接するため、インレット２０と肩部６２との間に、大きな間隔が確保される。
【００３４】
実施例２のＲＦＩＤ２００においても、インレット装着部１０の上下方向厚さは、実施例１のＲＦＩＤタグ１００と同様に取付環状部３０の上下方向厚さよりも厚くなっている。図６においてインレット装着部１０の上下方向厚さは、ｔ１で示されている。また、図６において環状取付部３０の上下方向厚さは、ｔ２で示されている。このように、インレット装着部１０の上下方向厚さｔ１を大きく採ることにより、インレット２０を偏心配置するためのスペースをインレット装着部１０に確保することができる。すなわち、実施例２のＲＦＩＤタグ２００は、インレット装着部１０の上下方向厚さを大きく採ることにより、インレット２０を偏心させやすくなっている。
【００３５】
また、ＲＦＩＤタグ２００は、接続部２３１を有しているため、環状取付部３０の内周壁面３０ａとインレット２０との間に大きな間隔δ２を確保することができる。
【００３６】
この間隔δ１と、間隔δ２について、図８を参照し、比較例を示しつつさらに詳細に説明する。図８（Ａ）は、実施例２のＲＦＩＤタグ２００を瓶容器６０に装着した様子を示し、図８（Ｂ）は、比較例のＲＦＩＤタグ５００を瓶容器６０に装着した様子を示している。
【００３７】
比較例のＲＦＩＤタグ５００は、環状取付部５３０とインレット装着部５１０とを備える点で実施例２のＲＦＩＤタグ２００と共通している。しかしながら、比較例のＲＦＩＤタグ５００は、環状取付部５３０の上下方向厚さとインレット装着部５１０の上下方向厚さが同一である。これに伴って、インレット装着部５１０に装着されたインレット２０は、環状取付部５３０に対して偏心配置されていない。この結果、ＲＦＩＤタグ５００では、大きな間隔δ１を確保することができていない。瓶容器６０の肩部６２は、飲料缶５０の肩部５２と異なり、水平に広がっているため、飲料缶５０と比較して間隔δ１の確保はより困難である。
【００３８】
このような瓶容器６０に対し、実施例２のＲＦＩＤタグ２００は、比較例と同じサイズのインレット２０を偏心配置させ、大きな間隔δ１を確保することができているので、リーダ・ライタ等の他の装置との間における安定した通信状態を確保することができる。また、ＲＦＩＤタグ２００は、安定した状態で瓶容器６０に装着することができる。
【００３９】
内部に液体が充填される瓶容器６０の首部６１や肩部６２、特に肩部６２とインレット２０との距離が短いと、電波の干渉が発生するなどの理由から安定した通信が損なわれる。そこで、実施例２のＲＦＩＤタグ２００のように、大きな間隔δ１、間隔δ２を確保することができれば、間隔δ１、間隔δ２の設定の自由度が増し、安定した通信状態を実現することができる。
【００４０】
間隔δ１、間隔δ２は、実施例１の場合と同様に、リーダ・ライタとの通信距離に応じて適宜設定することができる。例えば、通信に用いる電波の波長の１／４の奇数倍、すなわち、（２ｎ＋１）／４倍（ｎ＝０，１，２，・・・）として、通信距離を大きくすることができる。
【００４１】
実施例２のＲＦＩＤタグ２００は、実施例１のＲＦＩＤタグ１００と同様に取付環状部３０とインレット装着部１０との間に中空部４０を有している。このため、誘電損失による電磁波のエネルギ損失が抑制され、良好な通信状態を確保することができる。
【００４２】
なお、ＲＦＩＤタグ２００の環状取付部３０の上下方向厚さｔ２は、インレット装着部１０の上下方向厚さｔ１と比較して薄い。このため、キャップ６３が露出して掴みやすく、ＲＦＩＤタグ２００を装着した状態の瓶容器６０を持ち上げやすい。
【００４３】
以上説明したように、ＲＦＩＤタグの接続部下縁の形状は、取付対象物の形状に応じて適宜変更することがきる。例えば、図９に示すＲＦＩＤタグ３００のように、取付対象物の肩部の形状に合わせて接続部３３０の下縁３３０ｂを円弧状に成形することができる。
要は、インレット２０が取付対象物から離れるように偏心配置されていれば、接続部の下縁の形状は取付対象物の形状に応じたものとすることができる。
【実施例３】
【００４４】
次に、実施例３のＲＦＩＤタグ４００について図１０を参照しつつ説明する。図１０は、ＲＦＩＤタグ４００の斜視図である。
【００４５】
ＲＦＩＤタグ４００における接続部４１０は、取付環状部４３０に対し、回転手段を介して連設されている。具体的には、以下の如くである。インレット装着部４１０と一体に成形された接続部４１０は、環状取付部４３０と別体として設けられている。そして接続部４１０は、Ｃ字状の環状取付部４３０の各端部に設けられた鍔部４３０ａにピン４３１を用いて回転自在に取り付けられている。このように接続部４１０を取付環状部４３０に対して回転自在に取り付けることにより、ＲＦＩＤタグ４００を取付対象物に安定した状態で取り付けることができる。すなわち、取付対象物の形状に応じて接続部４１０の環状取付部４３０に対する角度を調節することによりＲＦＩＤタグ４００と取付対象物との密着度を高め、安定した取付状態を実現することができる。
なお、鍔部４３０ａとピン４３１との組み合わせは回転手段の一例であり、他の手段であっても、接続部４１０を取付環状部４３０に対して回転自在に取り付けることができるものであれば採用することができる。
【００４６】
以上本発明の好ましい実施例について詳述したが、本発明は係る特定の実施例に限定されるものではなく、特許請求の範囲に記載された本発明の要旨の範囲内において、種々の変形、変更が可能である。
上記実施例では、飲料缶や瓶容器にＲＦＩＤタグ装着した例を示したが、本明細書開示のＲＦＩＤタグは、他の容器、商品についても適用することができる。
【符号の説明】
【００４７】
１００，１５０，２００，３００，４００…ＲＦＩＤタグ
１０…インレット装着部
２０…インレット
２１…基板
２２…アンテナ
２３…回路チップ
５０…飲料缶
５１…首部
５２…肩部
６０…瓶容器
６１…首部
６２…肩部
【図１】
2010257061.tif 000003
【図２】
2010257061.tif 000004
【図３】
2010257061.tif 000005
【図４】
2010257061.tif 000006
【図５】
2010257061.tif 000007
【図６】
2010257061.tif 000008
【図７】
2010257061.tif 000009
【図８】
2010257061.tif 000010
【図９】
2010257061.tif 000011
【図１０】
2010257061.tif 000012